(57)【要約】【課題】機械部品等に付着した粉塵類の清掃と回収をほぼ同時に効率的に行うと共に操作性を向上させ、省エネルギー化を図った手持ち式清掃機を提供すること。【解決手段】ノズル本体１の先端吸入管４にエアーブロー用ノズルパイプ１０の先端部を挿入して、同ノズルパイプの先端ノズル１１を先端吸入管の吸込口４ａに臨むように配置し、そのノズルパイプ１０の後端部と、真空状態を発生させるためのルーツ式ブロワ２０の吐出側とをエアーホース１６を介して接続し、ノズル本体１の後端部に取り付けたフレキシブルホース２５を、ルーツ式ブロワ２０の吸入口側に粉塵回収器３０を介して接続し、そのルーツ式ブロワから吐出される空気を先端ノズル１１から噴射させることによって粉塵類を吹き飛ばし、その時に、その吹き飛ばされた粉塵類を先端吸入管の吸込口４ａから吸引させて粉塵回収器３０に回収するように構成した。【選択図】  図１
2004243209.tif 000002
【特許請求の範囲】
【請求項１】
中空状ノズル本体の先端吸入管にエアーブロー用ノズルパイプの先端部を挿入して、同ノズルパイプの先端ノズルを該先端吸入管の吸込口に臨むように配置すると共に、当該ノズルパイプをノズル本体に支持するように設け、そのエアーブロー用ノズルパイプの後端部に取り付けた流量調整弁と、真空状態を発生させるためのルーツ式ブロワの吐出側とをエアーホースを介して接続し、前記ノズル本体の後端部に一端が取り付けられたフレキシブルホースの他端を、前記ルーツ式ブロワの吸入口側に粉塵回収器を介して接続するように設け、そのルーツ式ブロワから吐出される空気を前記エアーブロー用ノズルパイプの先端ノズルから噴射させることによって粉塵類を吹き飛ばし、その時に、その吹き飛ばされた粉塵類を前記先端吸入管の吸込口からルーツ式ブロワの真空作用により吸引させて前記粉塵回収器内に回収するように構成したことを特徴とする粉塵類の回収機能を備えた手持ち式清掃機。
【請求項２】
前記ルーツ式ブロワについては２室式ルーツ式ブロワとし、その１室を真空発生用として前記ノズル本体側に、他の１室を空気供給用としてエアーブロー用ノズルパイプ側に用いるように構成したことを特徴とする請求項１に記載の粉塵類の回収機能を備えた手持ち式清掃機。
【発明の詳細な説明】
【０００１】
【発明の属する技術分野】
本発明は、機械部品等に付着した切粉、研磨屑、切削油、水滴等の粉塵類を吹き飛ばして当該部品等をきれいにすると共に、吹き飛ばされた粉塵類を周囲に飛散させることなくほぼ同時的に回収する手持ち式清掃機に関するものである。
【０００２】
【従来の技術】
工作機械による切削加工時に生ずる切粉、研磨加工時に生ずる研磨屑、切削油、水滴等（以下、この明細書において「粉塵類」と称する）が機械部品に付着している場合、それらの除去作業は、（１）圧縮空気による吹き飛ばし（いわゆるエアーブロー）、（２）水による洗浄、（３）ノズルから水を噴射させる圧力噴射洗浄、（４）エアーブローノズルとこれを囲むように配置されたラッパ形の真空吸引用フードを備えた手持ち式ノズル、などにより行われている。図６には、エアーブローノズルｎを用いて機械部品ｗに付着した粉塵類を圧縮空気で吹き飛ばして清掃を行う様子を示す。
【０００３】
【発明が解決しようとする課題】
上記した従来の（１）の吹き飛ばし方法では吹き飛ばされた粉塵類が周囲に飛散する、（２）の水洗浄では機械部品の凹所に水滴が溜まり易い、（３）の圧力噴射洗浄では粉塵類が周囲に飛散し、水煙も生ずる、（４）の手持ち式ノズルではエアーブローノズルと機械部品との間隔を１０〜２０ｍｍ程度に接近させても粉塵類が周囲に飛散して真空吸引による回収作用が十分でない、等の問題がある。
【０００４】
特に上記（４）については、エアーブローノズルにフードが固定されている構造であるので、機械部品のネジ穴等の深い箇所や表面の凹凸箇所の清掃作業がやりずらく、フード内に発生する真空度が低いために粉塵類が周囲に拡がってしまうなどの不都合があった。何れにしても、周囲に飛散又は拡散する粉塵類は、作業者の健康や作業環境に多くの影響を与えることから、これを可及的に回収する装置の開発が要望されている。
【０００５】
この発明の目的は、機械部品等に付着した粉塵類の清掃と回収をほぼ同時に効率的に行うと共に操作性を向上させ、省エネルギー化を図った手持ち式清掃機を提供することにある。
【０００６】
【課題を解決するための手段】
前記目的を達成するために請求項１に記載した発明は、中空状ノズル本体の先端吸入管にエアーブロー用ノズルパイプの先端部を挿入して、同ノズルパイプの先端ノズルを該先端吸入管の吸込口に臨むように配置すると共に、当該ノズルパイプをノズル本体に支持するように設け、そのエアーブロー用ノズルパイプの後端部に取り付けた流量調整弁と、真空状態を発生させるためのルーツ式ブロワの吐出側とをエアーホースを介して接続し、前記ノズル本体の後端部に一端が取り付けられたフレキシブルホースの他端を、前記ルーツ式ブロワの吸入口側に粉塵回収器を介して接続するように設け、そのルーツ式ブロワから吐出される空気を前記エアーブロー用ノズルパイプの先端ノズルから噴射させることによって粉塵類を吹き飛ばし、その時に、その吹き飛ばされた粉塵類を前記先端吸入管の吸込口からルーツ式ブロワの真空作用により吸引させて前記粉塵回収器内に回収するように構成したことを特徴とする。
【０００７】
同様の目的を達成するために請求項２に記載した発明は、請求項１に記載の粉塵類の回収機能を備えた手持ち式清掃機において、前記ルーツ式ブロワについては２室式ルーツ式ブロワとし、その１室を真空発生用として前記ノズル本体側に、他の１室を空気供給用としてエアーブロー用ノズルパイプ側に用いるように構成したことを特徴とするものである。
【０００８】
【発明の作用及び効果】
（請求項１の発明）
手持ち式清掃機の先端ノズルを粉塵類の付着した機械部品等から少し離した状態にて、ルーツ式ブロワにより発生する約３０ｋＰａ程度の圧力の圧縮空気を噴射させることにより、その粉塵類を吹き飛ばすことができる。同時に、先端吸入管内で吹き飛ばされた粉塵類は、ルーツ式ブロワにより発生する約−５ｋＰａ〜−５０ｋＰａ程度の真空圧力により先端吸入管の吸込口から吸引されて粉塵回収器に効率よく回収される。
【０００９】
手持ち式清掃機の使用時における先端ノズルから噴射する空気量については、真空吸込空気量に対して約１／１０〜１／３０程度とし、噴射させる空気量については流量調整弁にて適宜調節を行うものとする。
【００１０】
（請求項２の発明）
手持ち式清掃機の先端ノズルを粉塵類の付着した機械部品等から少し離した状態にて、２室式ルーツ式ブロワの他の１室側により発生する約３０ｋＰａ程度の圧力の圧縮空気を噴射させることにより、その粉塵類を吹き飛ばすことができる。同時に、先端吸入管内で吹き飛ばされた粉塵類は、２室式ルーツ式ブロワの１室側により発生する約−５ｋＰａ〜−５０ｋＰａ程度の真空圧力により先端吸入管の吸込口から吸引されて粉塵回収器に効率よく回収される。
【００１１】
手持ち式清掃機の使用時における先端ノズルから噴射する空気量について、真空吸込空気量に対して約１／１０〜１／３０程度とすることは、請求項１の発明と同様である。
【００１２】
この粉塵類の回収機能を備えた手持ち式清掃機は、機械部品等に付着した粉塵類の清掃と回収をほぼ同時に効率的に行うことができ、作業性や使い勝手についても良好である。加えて、エアーブローについては、ルーツ式ブロワの吐出空気を使用することにより、コストの低減や省エネルギー化を図ることができる。
【００１３】
【発明の実施の形態】
以下に、本発明の実施の形態例を図面に基づいて説明する。図１は粉塵類の回収機能を備えた手持ち式清掃機の説明図、図２はノズル本体部分の正面図、図３は図１の手持ち式清掃機に用いるルーツ式ブロワを２室式ルーツ式ブロワとした場合の説明図である。
【００１４】
図１において、本発明の粉塵類の回収機能を備えた手持ち式清掃機Ｃは、ノズル本体１と、真空状態を発生させるためのルーツ式ブロワ２０及び粉塵回収器３０とから構成されている。
【００１５】
図２に示すように、中空状ノズル本体１は、ほぼ中間位置に握り部２を設け、その前端部１ａに先端吸入管４の一部を構成するフレキシブルチューブ５の一端５ａを嵌めて同吸入管４を接続している。そのフレキシブルチューブ５の他端５ｂには、Ｌ形のベンド管７を介してゴム材料等からなる円筒形ガイド片８が取り付けられている。９はガイド片８の周縁８ａに適宜形成された切欠きである。
【００１６】
上記フレキシブルチューブ５に穿設された開口部６には、エアーブロー用ノズルパイプ１０の鉤型形状の先端部１０ａを挿入して同パイプの先端ノズル１１を前記先端吸入管４の吸込口４ａに臨むように配置する。そして、その開口部６から外側に露出するエアーブロー用ノズルパイプ１０の後端部１０ｂは、前記ノズル本体１の握り部２に接近又は離間可能に保持片３により支持されていると共に、その保持片３に内装されたコイルバネ１３により握り部２から離れる方向に常に付勢されるように設けられている。
【００１７】
しかして、先端ノズル１１は、エアーブロー用ノズルパイプ１０の後端部１０ｂを移動操作することによって吸込口４ａから出没自在とされている。１５はエアーブロー用ノズルパイプ１０の後端部１０ｂに取り付けた流量調整弁、１６はその流量調整弁１５に接続されたエアーホースである。
【００１８】
図１に示すように、上記エアーブロー用ノズルパイプ１０に取り付けた流量調整弁１５と、真空状態を発生させるためのルーツ式ブロワ２０の吐出側２０ａに連結した吐出管２２とは、エアーホース１６を介して接続されている。また、上記ノズル本体１の後端部１ｂには、長さ約１．５〜５ｍのフレキシブルホース２５の一端２５ａを取り付け、フィルター３１を内蔵した粉塵回収器３０の入口部３０ａに該ホース２５の他端２５ｂを接続する。そのルーツ式ブロワ２０の吸入口側２０ｂは、粉塵回収器３０の出口部３０ｂと連結管３２により接続されている。３５は前記フレキシブルホース２５の他端２５ｂと連結管３２との間に設けられた配管３４に取り付けられた逆支弁、３６は吐出管２２に取り付けられた調整弁である。
以上により、粉塵類の回収機能を備えた手持ち式清掃機Ｃが構成される。
【００１９】
図３には、上述した手持ち式清掃機Ｃに用いるルーツ式ブロワ２０を２室式ルーツ式ブロワ１２０とし、その１室１２１を真空発生用、他の１室１２２を空気供給用とした場合を示す。
具体的には、その１室１２１の吸入口側１２１ｂが、前記粉塵回収器３０の出口部３０ｂと連結管３２により接続されている。そして、前記エアーブロー用ノズルパイプ１０の流量調整弁１５と、他の１室１２２の吐出側１２２ａに連結した吐出管１３５とは、エアーホース１６を介して接続する。１３６は吐出管１３５に取り付けられた調整弁、１３７は他の１室１２２の吸入口側１２２ｂに取り付けられたエアーフィルターである。
【００２０】
つぎに、本発明の粉塵類の回収機能を備えた手持ち式清掃機Ｃの作動及び取り扱い方について説明する。
図４、図５に示すように、ノズル本体１の握り部２を掴んで先端ノズル１１を機械部品ａの表面から少し離した状態にて、ルーツ式ブロワ２０により発生する約３０ｋＰａ程度の圧力の圧縮空気を噴射させる。これにより、機械部品ａに付着した粉塵類ｂを吹き飛ばして機械部品ａを清掃することができる。この時に、吹き飛ばされた粉塵類ｂについては、ルーツ式ブロワ２０により発生する約−５ｋＰａ〜−５０ｋＰａ程度の真空圧力によって先端吸入管４の吸込口４ａから吸引されて粉塵回収器３０に回収される。
【００２１】
また、図１に示すように、機械部品ａの表面に凹凸がある場合には、ノズルパイプ１０に指をかけてこれを移動操作して先端ノズル１１を吸込口４ａから約１０ｍｍ程度突出させたり、引っ込めたりすることにより、円滑に清掃を行うことができる。そして、清掃する箇所が縦向きや斜め方向であっても、先端吸入管４はフレキシブルチューブ５により適宜屈曲可能であるため、最適な姿勢が得られて作業が行い易い。
【００２２】
（実験）
本発明の手持ち式清掃機Ｃについて、下記の条件下で性能試験を行った。
【００２３】
2004243209.tif 000003
【００２４】
実験の結果、手持ち式清掃機Ｃの前記吸込口における吸込風量及び吸込圧力については、それぞれ１ｍ３／分、−１０ｋＰａであり、先端ノズルから噴出する空気量及びその圧力については、それぞれ３０リットル／分、＋２０ｋＰａのデータを得られた。そして、この手持ち式清掃機Ｃによれば、粉塵類の回収が十分に行なえることを確認した。
【００２５】
以上の通り、この粉塵類の回収機能を備えた手持ち式清掃機は、機械部品等に付着した粉塵類の清掃と回収をほぼ同時的に効率的に行うことができ、作業性や使い勝手も良好である。
【図面の簡単な説明】
【図１】粉塵類の回収機能を備えた手持ち式清掃機の説明図
【図２】ノズル本体部分の正面図
【図３】図１の手持ち式清掃機に用いるルーツ式ブロワを２室式ルーツ式ブロワとした場合の説明図
【図４】手持ち式清掃機の使用状態を示す説明図（１）
【図５】手持ち式清掃機の使用状態を示す説明図（２）
【図６】従来のブローノズルを用いて粉塵類の除去を行う様子を示す説明図
【符号の説明】
Ｃ・・・粉塵類の回収機能を備えた手持ち式清掃機
１・・・ノズル本体
４・・・先端吸入管  ４ａ・・・吸込口
１０・・・エアーブロー用ノズルパイプ
１０ａ・・・先端部  １０ｂ・・・後端部
１１・・・先端ノズル
１５・・・流量調整弁
１６・・・エアーホース
２０・・・ルーツ式ブロワ
２０ａ・・・吐出側  ２０ｂ・・・吸入口側
２５・・・フレキシブルホース
３０・・・粉塵回収器
１２０・・・２室式ルーツ式ブロワ
１２１・・・１室
１２１ｂ・・・吸入口側
１２２・・・他の１室
１２２ａ・・・吐出側  １２２ｂ・・・吸入口側
【図１】
2004243209.tif 000004
【図２】
2004243209.tif 000005
【図３】
2004243209.tif 000006
【図４】
2004243209.tif 000007
【図５】
2004243209.tif 000008
【図６】
2004243209.tif 000009